(57)【要約】【課題】中継カメラと固定装置との着脱を円滑に行うことを目的とする。【解決手段】中継カメラを固定するための固定装置における前記中継カメラとの着脱を行う中継カメラ着脱装置において、前記中継カメラと前記固定装置とを取り付ける取付アームを有し、前記取付アームは、取り付けられた前記中継カメラと前記固定装置との間に所定の空間ができるように形成され、前記取付アームの一端には、前記固定装置との着脱を行うための固定装置着脱部が形成され、他端には、前記中継カメラとの着脱を行うための中継カメラ着脱部が形成されることにより、上記課題を解決する。【選択図】        図１
2004328567.tif 000002
【特許請求の範囲】
【請求項１】
中継カメラを固定するための固定装置における前記中継カメラとの着脱を行う中継カメラ着脱装置において、
前記中継カメラと前記固定装置とを取り付ける取付アームを有し、
前記取付アームは、取り付けられた前記中継カメラと前記固定装置との間に所定の空間ができるように形成され、
前記取付アームの一端には、前記固定装置との着脱を行うための固定装置着脱部が形成され、他端には、前記中継カメラとの着脱を行うための中継カメラ着脱部が形成されていることを特徴とする中継カメラ着脱装置。
【請求項２】
前記中継カメラ着脱部は、
前記取付アームに垂直方向に位置付けられ上部に開口部を有するアーム側着脱プレートが形成され、
前記中継カメラに前記アーム側着脱プレートと接面し、前記開口部に挿入して掛止するための掛止部を設けたカメラ側着脱プレートが形成されていることを特徴とする請求項１に記載の中継カメラ着脱装置。
【請求項３】
前記中継カメラ着脱部は、
前記取付アームに溝部が形成され、
前記中継カメラに前記溝部に対して摺動させることにより前記取付アームとの着脱を行う摺動突部が形成されていることを特徴とする請求項１に記載の中継カメラ着脱装置。
【請求項４】
前記中継カメラ着脱部は、
前記取付アームに２つのプレートが一辺で接合し開口穴と他のプレートの角を支持する支持部を有するアーム側着脱部が形成され、
前記中継カメラに前記アーム側着脱部に接面し、前記開口穴に挿入される突起部及び前記支持部により支持されるプレート角部を有するカメラ側着脱部が形成されていることを特徴とする請求項１に記載の中継カメラ着脱装置。
【請求項５】
前記中継カメラ着脱部は、
前記取付アームに雄ネジ部が形成され、
前記中継カメラに前記雄ネジに基づく雌ネジ部が形成され、
前記雄ネジ又は前記雌ネジを回動させることにより着脱を行うことを特徴とする請求項１に記載の中継カメラ着脱装置。
【発明の詳細な説明】
【０００１】
【発明の属する技術分野】
本発明は、中継カメラ着脱装置に係り、特に、中継カメラと三脚等の固定装置との着脱を円滑に行い、使用性を向上させた中継カメラ着脱装置に関する。
【０００２】
【従来の技術】
近年、中継先でのカメラ撮影が頻繁に行われている。この場合、経費等の問題から「ワンカメ」と言われる１台のカメラを用いて、遠い被写体を撮影したり、ゲスト等の人物の動きをフォローしながらの移動撮影を行っている。
【０００３】
なお、中継カメラにおいては、撮影者（カメラマン）が肩に乗せて撮影を行う場合と、三脚等の固定部材（固定装置）に取り付けて撮影を行う場合とがある。例えば、遠い被写体を撮影する場合には、中継カメラを三脚等の固定部材により固定させていないと画面の揺れが目立ってしまうため、視聴者に違和感を与えてしまい好ましい撮影ができない。また、中継カメラが三脚に固定されている状態から人物の動きに対応する映像を撮影するためには、中継カメラを肩に乗せて撮影した方が移動範囲も広く、より臨場感のある撮影を可能にする。
【０００４】
ここで、中継カメラにおける三脚等の固定部材の据え付けによる撮影から中継カメラの肩乗せによる撮影、又はその逆の撮影状態の変更を行う場合は、固定部材と中継カメラとの結合部分を解除又は取り付け等のいわゆる着脱作業を行う必要がある。なお、このような撮影変更時に対応して着脱の簡素化を図った技術がある（例えば、特許文献１参照。）。
【０００５】
【特許文献１】
特開平５−１４５８１６号公報。
【０００６】
【発明が解決しようとする課題】
しかしながら、三脚等の固定部材からの着脱を行っている最中での撮影では、取り付け及び取り外しの振動等により、スムーズな撮影を行うことができず撮影を一時中断する等の対応を行う必要が生じてしまう。
【０００７】
ここで、中継カメラと三脚等の固定部材との着脱を円滑に行うためには、中継カメラを固定した状態で、撮影者が中継カメラを肩に乗せることができ、更に中継カメラを肩に乗せた状態からの固定部材への着脱を容易に行うことができることが好ましい。
【０００８】
本発明は、上記の点に鑑みてなされたものであり、中継カメラと固定部材との着脱を円滑に行うための中継カメラ着脱装置を提供することを目的とする。
【０００９】
【課題を解決するための手段】
上記課題を解決するために、本件発明は、以下の特徴を有する課題を解決するための手段を採用している。
【００１０】
請求項１に記載された発明は、中継カメラを固定するための固定装置における前記中継カメラとの着脱を行う中継カメラ着脱装置において、前記中継カメラと前記固定装置とを取り付ける取付アームを有し、前記取付アームは、取り付けられた前記中継カメラと前記固定装置との間に所定の空間ができるように形成され、前記取付アームの一端には、前記固定装置との着脱を行うための固定装置着脱部が形成され、他端には、前記中継カメラとの着脱を行うための中継カメラ着脱部が形成されていることを特徴とする。
【００１１】
請求項１記載の発明によれば、中継カメラを取り付けた状態で、撮影者が中継カメラを容易に肩に乗せることができるため、使用性を向上させることができる。また、固定装置からの着脱時の動作を円滑に行うことができ、これにより着脱時の撮影もスムーズに行うことができる。
【００１２】
請求項２に記載された発明は、前記中継カメラ着脱部は、前記取付アームに垂直方向に位置付けられ上部に開口部を有するアーム側着脱プレートが形成され、前記中継カメラに前記アーム側着脱プレートと接面し、前記開口部に挿入して掛止するための掛止部を設けたカメラ側着脱プレートが形成されていることを特徴とする。
【００１３】
請求項２記載の発明によれば、中継カメラと固定装置との着脱を円滑に行うことができる。また、アーム側着脱プレートとカメラ側着脱プレートとを接面して掛止させることにより固定時の安定性を向上させることができる。
【００１４】
請求項３に記載された発明は、前記中継カメラ着脱部は、前記取付アームに溝部が形成され、前記中継カメラに前記溝部に対して摺動させることにより前記取付アームとの着脱を行う摺動突部が形成されていることを特徴とする。
【００１５】
請求項３記載の発明によれば、中継カメラと固定装置との着脱を円滑に行うことができる。また、着脱時には、中継カメラの上下動を減少させることにより、着脱時における高精度な撮影が容易に行うことができる。
【００１６】
請求項４に記載された発明は、前記中継カメラ着脱部は、前記取付アームに２つのプレートが一辺で接合し開口穴と他のプレートの角を支持する支持部を有するアーム側着脱部が形成され、前記中継カメラに前記アーム側着脱部に接面し、前記開口穴に挿入される突起部及び前記支持部により支持されるプレート角部を有するカメラ側着脱部が形成されていることを特徴とする。
【００１７】
請求項４記載の発明によれば、中継カメラと固定装置との着脱を円滑に行うことができる。また、支持部を有することにより安定性を向上させることができる。
【００１８】
請求項５に記載された発明は、前記中継カメラ着脱部は、前記取付アームに雄ネジ部が形成され、前記中継カメラに前記雄ネジに基づく雌ネジ部が形成され、前記雄ネジ又は前記雌ネジを回動させることにより着脱を行うことを特徴とする。
【００１９】
請求項５記載の発明によれば、中継カメラと固定装置との着脱を円滑に行うことができる。また、中継カメラと固定装置がネジにより螺嵌されているため、中継カメラを固定装置に取り付けた状態での中継カメラ着脱装置自体を移動させてもカメラが外れることがなく、中継カメラ着脱装置の使用性を向上させることができる。
【００２０】
【発明の実施の形態】
本発明は、中継カメラと三脚等の脚体からなる固定部材との着脱を円滑に行うための取付アームを設ける。具体的には、中継カメラの上部と取付アームの一端とを接続して、中継カメラを上から吊るすように取り付け、中継カメラと固定部材との間に空間を設け、撮影者はその空間を利用して中継カメラが固定部材に固定された状態のままで、中継カメラの肩乗せを円滑に行う。
【００２１】
また、中継カメラと取付アームとの着脱時の振動を少なくスムーズに行うことができるよう中継カメラ着脱部の構成を有することにより、固定装置と中継カメラとの着脱動作を容易に行い円滑な撮影の移行を行うことができる。
【００２２】
次に、本発明の実施の形態について図を用いて説明する。
【００２３】
図１は、本発明における中継カメラ着脱装置の実施の形態を示す一例の図である。図１の中継カメラ着脱装置１０は、脚体１１と、雲台１２と、調整アーム１３と、脚体側アーム着脱部１４と、取付アーム１５と、アーム側脚体着脱部１６と、アーム側カメラ着脱部１７と、中継カメラ本体１８と、カメラレンズ部１９と、ファインダ部２０と、肩あて部２１と、カメラ側アーム着脱部２２とを有するよう構成されている。
【００２４】
脚体１１は、図１においては三脚を用いており、中継カメラを使用する撮影者の背や、撮影場所等に応じて雲台１２の上下の高さを変更させることができる。雲台１２は、三脚の上に取り付けられ、通常中継カメラを直接設置するための台であるが、本発明では取付アーム１５を取り付けるものである。また、調整アーム１３は、雲台１２を回転させ、一定の位置で固定させるための位置調整アームである。
【００２５】
また、雲台１２の上部には脚体側アーム着脱部１４を有し、脚体側アーム着脱部１４は、取付アーム１５の一端に設けられたアーム側脚体着脱部１６と、ネジによる固定やフックによる係合、又は凹凸部による嵌合により固定される。
【００２６】
ここで、脚体側アーム着脱部１４は、中継カメラ本体１８をそのまま取り付けることができる取付構造を有するものであってもよく、その場合は、アーム側脚体着脱部１６にてその取付構造に対応して固定することができる構造に形成される。
【００２７】
取付アーム１５は、図１（ｂ）に示すようにコの字型に形成されており、撮影者は、中継カメラ本体１８と固定部材の間に設けられる空間を利用して図１（ｂ）の矢印方向から中継カメラ本体１８が固定した状態で、肩を肩あて部２１にあてることができる。
【００２８】
また、撮影時には撮影者がファインダ部２０から得られる映像情報からカメラレンズ部１９を調整し、所望する映像の撮影を行う。
【００２９】
取付アーム１５のもう一端には、アーム側カメラ着脱部１７を有しており、また、中継カメラ本体１８の上部に設けられたカメラ側アーム着脱部２２と着脱が容易に行えるよう構成されている。なお、アーム側カメラ着脱部１７とカメラ側アーム着脱部２２とを中継カメラ着脱部として、詳細な構成は後述する。
【００３０】
ここで、取付アーム１５がコの字型の場合について説明したが、本発明においてはこの限りではなく、例えば、半円型の取付アームが形成されていてもよく、また、雲台１２の面に対して直角ではなく９０°以上の角度を設けてもよく、中継カメラ本体が取付アームにより固定部材に固定した状態で、撮影者の肩乗せ動作が容易に行えるように形成されていればよい。
【００３１】
ここで、上述の取付アームの例を図を用いて説明する。図２は、本発明における取付アームを説明するための図である。なお、図２は、図１と同様の主要構成部により構成されている。
【００３２】
図２（ａ）に示すように取付アーム２３を半円型に形成することにより、撮影者は中継カメラ本体１８が固定された状態で撮影を行うことができ、更に肩乗せ撮影を行う場合にも、矢印方向から中継カメラ本体１８の下部に容易に肩を入れることができる。また、図２（ｂ）に示すように、コの字型ではなく、角α１及びα２が９０°よりも大きい角度を有するような取付アーム２４を形成してもよい。
【００３３】
ここで、取付アームの材質については、鉄やステンレス等の中継カメラ本体の重量に耐えうる強度を有する材質を用いる。
【００３４】
上述したような中継カメラ着脱装置において、取付アーム１５を有することにより、中継カメラ本体１８を固定部材に固定した状態での撮影から、取り外した状態での撮影を円滑に行うことができ、使用性を向上させることができる。
【００３５】
ここで、中継カメラ着脱装置を用いた撮影者の実施の様子を図を用いて説明する。図３は、本発明における中継カメラ着脱装置の実施の様子を示す一例の図である。
【００３６】
図３に示す中継カメラ着脱装置は、図１に示す主要構成部のものと同様の構成である。図３（ａ）に示すように中継カメラ本体１８が取付アーム１５に取り付けられている状態では、振動が少なく安定した映像を撮影することができる。この時、脚体１１により撮影者の背の高さに合わせてファインダ部２０の高さが調整されている。
【００３７】
次に、中継カメラ本体１８を肩に乗せ撮影する場合、中継カメラ本体１８が取付アーム１５により吊るされた状態で固定されており、撮影者は中継カメラ本体１８と固定部材の間の空間から肩を入れ中継カメラ本体１８が固定された状態のままで肩乗せを行うことができ、図３（ｂ）に示すような撮影の移行を円滑に行うことができる。これにより、使用性を向上させることができる。
【００３８】
次に、上述したように中継カメラの固定状態から肩乗せ状態への移行、及びその逆の移行を円滑に行うためのカメラ着脱部の具体的な構成例について説明する。なお、以下に説明する構成例におけるカメラ着脱部の材質については、鉄やステンレス等の中継カメラ本体の重量に耐えうる強度を有する材質を用いる。
【００３９】
＜中継カメラ着脱部：第１の構成例＞
図４は、本発明における中継カメラ着脱部の第１の構成例を示す図である。ここで、図４（ａ）は、アーム側カメラ着脱部とカメラ側アーム着脱部との構成斜視図を示し、図４（ｂ）は、固定された中継カメラ着脱部の斜視図を示すものである。また、取付アームは、図１で示したコの字型の取付アーム１５を用いることとする。
【００４０】
図４（ａ）において、取付アーム１５にはアーム側カメラ着脱部としてアーム側着脱プレート３１が設けられており、アーム側着脱プレート３１の上部には、開口部３２−１，３２−２を有するよう構成されている。また、中継カメラ本体１８には、カメラ側アーム着脱部３３が設けられており、カメラ側アーム着脱部３３には、アーム側着脱プレート３１の側面と接面させるためのカメラ側着脱プレート３４と有している。更に、カメラ側着脱プレート３４には、開口部３２−１，３２−２に夫々挿入し、アーム側着脱プレート３１の反対面で掛止させるために先端に掛止部を有する突起部３５−１，３５−２が形成されている。
【００４１】
更に、カメラ側アーム着脱部３３には、中継カメラ本体１８とカメラ側アーム着脱部３３とを取り付けるための中継カメラ取付面３６が設けられており、中継カメラ１８とカメラ側アーム着脱部３３とを取り付けるために中継カメラ取付面３６に対して締付ネジ３７−１，３７−２によりネジ止めされている。
【００４２】
なお、中継カメラ取付面３６と中継カメラ１８との取り付け手段は、この限りではなく、例えば、フック等により係止されていてもよい。
【００４３】
ここで、アーム側着脱プレート３１の開口部３２−１，３２−２は、突起部３５−１，３５−２を開口部３２−１，３２−２へ容易に挿入させるため、図４に示すように、アーム側着脱プレート３１の上部の方が開口幅が大きい逆三角形状の開口部を有するよう形成されている。
【００４４】
つまり、取り付け時には、アーム側着脱プレート３１と、カメラ側着脱プレート３４とを接面し、突起部３５−１，３５−２を開口部３２−１，３２−２に夫々挿入し、接面部分を摺動させカメラ側着脱プレート３４を下方向に移動することにより、突起部３５の先端に形成された掛止部により、アーム側着脱プレート３１に掛止させることができる。これにより、中継カメラを固定部材から容易に着脱することができる。
【００４５】
また、図４（ｂ）に示すように、固定時には、アーム側着脱プレート３１と、カメラ側着脱プレート３４とが接面しているため、中継カメラ本体１８の安定性も向上する。
【００４６】
次に、中継カメラ１８を取り外す場合には、カメラ側着脱プレート３４（中継カメラ本体１８）を上方向へ移動させることにより、突起部３５の先端の掛止が外れ、取り外しを容易に行うことができる。
【００４７】
これにより、中継カメラの着脱を円滑に行うことができる。また、着脱時の撮影もスムーズに行うことができる。なお、第１の構成例において、開口部３２及び突起部３５とを２個形成したが、本発明においては、この限りでなく、少なくとも１以上形成されていればよい。
【００４８】
＜中継カメラ着脱部：第２の構成例＞
次に、第２の構成例について説明する。図５は、本発明における中継カメラ着脱部の第２の構成例を示す図である。
【００４９】
図５において、取付アーム１５には、中継カメラとの着脱を行うための着脱部４１を有し、着脱部４１にはスライド動作を行うために用いられる開口溝４２が形成されている。開口溝４２の側面には、カメラ側アーム着脱部４４の側面を係止させるための係止部４３−１，４３−２を設け落下を防止している。また、両側面に係止部４３−１，４３−２を有することにより安定性を向上させている。
【００５０】
また、中継カメラ本体１８に固定されているカメラ側アーム着脱部４４は、係止部４３に対応した側面に勾配を有する傾斜部４５−１，４５−２が形成され、中継カメラ本体１８を図５の矢印方向にスライド移動させることにより、傾斜部４５と係止部４３とにより摺動し、カメラ側アーム着脱部４４を開口溝４２内で停止させることにより傾斜部４５と係止部４３とにより係止される。また、取り外す場合には、再度摺動させることで中継カメラ１８と、取付アーム１５との容易な着脱を可能にする。
【００５１】
また、カメラ側アーム着脱部４４には、中継カメラ１８とカメラ側アーム着脱部４４とを固定させるための中継カメラ取付面４６が設けられており、中継カメラ取付面４６と中継カメラ１８とは、締付ネジ４７−１及び４７−２によりネジ止めされて固定されている。
【００５２】
上述した第２の構成例により、スライド動作における接続アーム１５と中継カメラ本体１８との着脱を容易に行うことができ、円滑な撮影を実現することができる。また、着脱時には、中継カメラの上下動を減少させることにより、着脱時の撮影も高精度に行うことができる。
【００５３】
＜中継カメラ着脱部：第３の構成例＞
次に、第３の構成例について説明する。図６は、本発明における中継カメラ着脱部の第３の構成例を示す図である。
【００５４】
ここで、図６（ａ）は、アーム側カメラ着脱部とカメラ側アーム着脱部との構成斜視図を示し、図６（ｂ）は、図６（ｂ）は、固定後の矢印ａ方向から見た様子を示している。
【００５５】
図６において、取付アーム１５には、中継カメラとの着脱を行うための着脱部５１を有し、着脱部５１は、水平方向と垂直方向に位置付けられた２つのプレートの一辺が直角に接合して形成されている。更に、水平方向のプレートには円型の開口穴５２−１，５２−２が形成され、垂直方向のプレートには一方の面に取付アームが接合され、もう一方の面には、カメラ側アーム着脱部５４の角部５６を支持する支持部５３を有している。
【００５６】
また、カメラ側アーム着脱部５４は、着脱部５１と同様に水平方向と垂直方向に位置付けられた２つのプレートの一辺が直角に接合して形成されている。更に、水平方向のプレートには、開口穴５２−１，５２−２に夫々挿入するための突起部５５−１，５５−２が形成されており、突起部５５は開口穴５２に挿入し易いように鋭頭形状となっている。また、垂直方向プレートは、着脱部５１の水平方向のプレートと接面し、更に、角部５６は凹型に開口して形成されている支持部５３内に挿入され支持される。
【００５７】
また、カメラ側アーム着脱部５４は、中継カメラ本体１８とカメラ側アーム着脱部５４とを固定させるための中継カメラ取付面５７を有し、中継カメラ取付面５７と中継カメラ本体１８とは、締付ネジ５８−１，５８−２によりネジ止めされて固定されている。
【００５８】
ここで、図６（ｂ）に示すように、角部５６は支持部５３内に挿入され支持されている。この時、着脱部５１及びカメラ側アーム着脱部５４の水平方向のプレートと垂直方向のプレートは夫々接面した状態になっており、これにより、固定時の安定性を向上させることができる。
【００５９】
また、取り外しする場合には、カメラ側アーム着脱部５４（中継カメラ本体１８）を上方向へ移動させ、開口穴５２から突起部５５を出すことにより、容易に取り外しを行うことができる。
【００６０】
上述したように第３の構成例においても中継カメラと取付アームとの着脱を円滑に行うことができる。
【００６１】
＜中継カメラ着脱部：第４の構成例＞
次に、第４の構成例について説明する。図７は、本発明における中継カメラ着脱部の第４の構成例を示す図である。
【００６２】
図７において、取付アーム１５には、中継カメラとの着脱を行うための着脱部６１を有し、着脱部６１上には電動式で回転する回転部６２を有し、更に回転部６２上には、回転部６２により回転される雌ネジ６３を有している。
【００６３】
また、カメラ側アーム着脱部６４の水平プレートの下部には、雌ネジ６３に対応して螺嵌されるような雄ネジ６５の形状を有している。更に、カメラ側アーム着脱部６４は、中継カメラ本体１８とカメラ側アーム着脱部６４とを固定させるための中継カメラ取付面６６を有し、中継カメラ取付面６６と中継カメラ本体１８とは、締付ネジ６７−１及び６７−２によりネジ止めされて固定されている。
【００６４】
第４の構成例による着脱時には、回転部６２に設けられたモータにより回転部６２を回転させ、雄ネジ６３を回動させて締めたり、緩めたりすることにより、中継カメラ本体１８と、取付アーム１５との着脱を容易に行うことができる。なお、回転させるための電動式モータの制御部は、雲台部に設けたり、着脱部６１に設けることにより、撮影者の容易な操作が可能となる。また、制御部は、例えばスイッチ等により回転部６２の回転方向や回転の開始及び停止を制御できる。
【００６５】
上述したように第４の構成例により、中継カメラ本体１８と取付アーム１５との着脱を円滑に行うことができる。また、中継カメラと取付アームとがネジにより螺嵌されているため、中継カメラを取付アームにより固定部材に取り付けられた状態で中継カメラ着脱装置自体を移動させた場合でも中継カメラが外れることなく、使用性を向上させることができる。
【００６６】
なお、第４の構成例においては、雌ネジ、雄ネジを逆に設置させてもよく、また、その何れかに回転部を有する構成にしても同様の効果を得ることができる。
【００６７】
上述したように本発明によれば、中継カメラにおける固定部材への取り付け、及び固定部材からの取り外しを肩乗せ動作を含めて円滑に行うことができ、撮影者の使用性を向上させた中継カメラ着脱装置を提供することができる。
【００６８】
特に、取付アームを設けることにより、撮影者が固定された状態の中継カメラを肩に乗せる動作を容易に行うことができる。これにより、着脱時における撮影でも振動の発生を防止し高精度な映像を撮影することができる。
【００６９】
以上本発明の好ましい実施例について詳述したが、本発明は係る特定の実施形態に限定されるものではなく、特許請求の範囲に記載された本発明の要旨の範囲内において、種々の変形、変更が可能である。
【００７０】
【発明の効果】
上述の如く本発明によれば、中継カメラと固定装置との着脱を容易に行うことができ、使用性を向上させた中継カメラ着脱装置を提供することができる。
【図面の簡単な説明】
【図１】本発明における中継カメラ着脱装置の実施の形態を示す一例の図である。
【図２】本発明における取付アームを説明するための図である。
【図３】本発明における中継カメラ着脱装置の実施の様子を示す一例の図である。
【図４】本発明における中継カメラ着脱部の第１の構成例を示す図である。
【図５】本発明における中継カメラ着脱部の第２の構成例を示す図である。
【図６】本発明における中継カメラ着脱部の第３の構成例を示す図である。
【図７】本発明における中継カメラ着脱部の第４の構成例を示す図である。
【符号の説明】
１０  中継カメラ着脱装置
１１  脚体
１２  雲台
１３  調整アーム
１４  脚体側アーム着脱部
１５，２３，２４  取付アーム
１６  アーム側脚体着脱部
１７，４１，５１，６１  アーム側カメラ着脱部
１８  中継カメラ本体
１９  カメラレンズ部
２０  ファインダ部
２１  肩あて部
２２，３３，４４，５４，６４  カメラ側アーム着脱部
３１  アーム側着脱プレート
３２  開口部
３４  カメラ側着脱プレート
３５  突起部
３６，４６，５７，６６  中継カメラ取付面
３７，４７，５８，６７  締付ネジ
４２  開口溝
４３  係止部
４５  傾斜部
５２  開口穴
５３  支持部
５６  角部
６２  回転部
６３  雌ネジ
６５  雄ネジ
【図１】
2004328567.tif 000003
【図２】
2004328567.tif 000004
【図３】
2004328567.tif 000005
【図４】
2004328567.tif 000006
【図５】
2004328567.tif 000007
【図６】
2004328567.tif 000008
【図７】
2004328567.tif 000009